(57)【特許請求の範囲】
【請求項１】
有彩色の色視野を検査する被検者が眼で知覚するための、有彩色による色視野検査用の視標を、所定距離離れた被検者にとっての所定の視角領域に、被検者が同時に眼で知覚する視標は単一の有彩色で表示する第１表示部と、
前記視標以外の領域に前記有彩色と異なる色による背景を表示する第２表示部と、
を備え、前記第２表示部で表示された背景の輝度値は、前記第１表示部で表示された視標の輝度値の１０％小さい数値と１０％大きい数値の間に属する数値であることを特徴とする検査手段。
【請求項２】
前記第１表示部は、異なる有彩色による複数の視標を表示する請求項１に記載の検査手段。
【請求項３】
前記第２表示部は前記背景を無彩色で表示する請求項２に記載の検査手段。
【請求項４】
前記視標は、点線による格子である請求項１ないし３のいずれか１項に記載の検査手段。
【請求項５】
前記視標は、異なる点間隔を有する点線による複数の格子である請求項４に記載の検査手段。
【請求項６】
前記第１表示部と第２表示部とは、シート上に印刷によって前記視標と前記背景とを表示する請求項１ないし５のいずれか１項に記載の検査手段。
【請求項７】
前記第１表示部と第２表示部とは、電力が供給されることによる発光を用いて前記視標と前記背景とを表示する請求項１ないし５のいずれか１項に記載の検査手段。
【請求項８】
有彩色の色視野を検査する被検者が眼で知覚するための、有彩色による色視野検査用の視標と、前記視標以外の領域における前記有彩色と異なる色による背景とを、前記視標を所定距離離れた被検者にとっての所定の視角領域に、被検者が同時に眼で知覚する視標は単一の有彩色で表示する表示ステップと、
前記表示ステップによって表示された有彩色を別の有彩色に変更する変更ステップと、
をコンピュータに実行させ、前記表示ステップにおいて、背景の輝度値は視標の輝度値の１０％小さい数値と１０％大きい数値の間に属する数値であることを特徴とするプログラム。
【発明の詳細な説明】
【技術分野】
【０００１】
本発明は検査手段、およびプログラムに関する。
【背景技術】
【０００２】
眼科医療においては、例えば加齢黄斑変性症などの検査のためにアムスラーチャートと呼ばれる検査手段が用いられる。アムスラーチャートは縦横ともに２０マスの格子からなるチャートであり、加齢黄斑変性症等の患者が見た場合、格子の一部が歪んだり欠けて見えることにより症状の有無が検査ができる。下記特許文献１にはアムスラーチャートの変形例が示されている。
【０００３】
また加齢黄斑変性症などの進行の程度を定量的に計測する手段として、Ｍ−ＣＨＡＲＴＳ（登録商標）と呼ばれる検査手段もある。Ｍ−ＣＨＡＲＴＳは複数本の点線からなるチャートであり、個々の点線ごとに点の間隔が異なっている。このチャートを加齢黄斑変性症などの変視症の患者に点間隔が狭い点線から順に見せていくと、一般に狭い点間隔の点線では歪んで見えるが、点間隔が広がるにつれて歪みを知覚しなくなる。変視症の症状が進行するほど、点間隔がより大きくならないと歪みの知覚が消えない。この性質によって変視症の進行度合いが定量的に計測できる。下記特許文献２にはＭ−ＣＨＡＲＴＳの具体的内容が示されている。
【先行技術文献】
【特許文献】
【０００４】
【特許文献１】特開２００３−２６５４１２号公報
【特許文献２】特許第３３２００６０号公報
【発明の概要】
【発明が解決しようとする課題】
【０００５】
被検者がアムスラーチャートを見て一部の領域の格子が見えないことにより、例えば網膜上のその領域に対応する部分に異常が生じているなどというかたちで患者の視野が検査できる。しかしアムスラーチャートは黒色によって格子が表示され、背景は白色とされているので、アムスラーチャートによって検査できる視野は、色と無関係な視野である。
【０００６】
周知のとおり、網膜には赤、緑、青の３色を知覚する錐体細胞が多数配置されており、これにより人間の視機能は様々な有彩色を知覚できる機能を有している。したがって人間の視野においても、ある色ではある領域が知覚できず、別の色では別の領域が知覚できないといったかたちの異常が起こり得るが、アムスラーチャートではこのような色ごとの視野（以下、色視野という）は検査できない。
【０００７】
またＭ−ＣＨＡＲＴＳは、視野の中央部分における視覚の歪みの有無が検査対象であり、視野全体の検査は対象となっていない。したがって当然、色視野も検査対象ではない。アムスラーチャートやＭ−ＣＨＡＲＴＳを色視野の検査を行えるように発展させることは、眼科医療の高度化のために極めて有意義だと考えられる。そもそも本発明者が知る限り、これまで色視野の検査手段の提案はない。
【０００８】
そこで本発明が解決しようとする課題は、上記に鑑み、色視野の検査が行える検査手段、検査方法およびプログラムを提供することにある。
【課題を解決するための手段】
【０００９】
上記課題を解決するために、本発明に係る検査手段は、有彩色の色視野を検査する被検者が眼で知覚するための、有彩色による色視野検査用の視標を、所定距離離れた被検者にとっての所定の視角領域に、被検者が同時に眼で知覚する視標は単一の有彩色で表示する第１表示部と、前記視標以外の領域に前記有彩色と異なる色による背景を表示する第２表示部と、を備え、前記第２表示部で表示された背景の輝度値は、前記第１表示部で表示された視標の輝度値の１０％小さい数値と１０％大きい数値の間に属する数値であることを特徴とする。この発明によれば、有彩色の視標によって被検者の色視野が検査できるとともに、視標と背景との輝度値が同様な数値に合わせられているので、輝度の違いの知覚ではなく色の違いの知覚が適切に検査できる。
【００１０】
また前記第１表示部は、異なる有彩色による複数の視標を表示するとしてもよい。この発明によれば、複数の有彩色の色視野が検査できる。
【００１１】
また前記第２表示部は前記背景を無彩色で表示するとしてもよい。この発明によれば、背景を無彩色とすることにより、有彩色の色視野が高精度に検査できる。
【００１２】
また前記視標は、点線による格子を含むとしてもよい。この発明によれば、点線の格子の知覚を検査することによって色視野の非正常知覚（欠損、歪み）領域の大きさが定量的に検査できる。
【００１３】
また前記視標は、異なる点間隔を有する点線による複数の格子を含むとしてもよい。この発明によれば、点間隔をどれだけ大きくすれば色視野の非正常知覚（欠損又は歪み）領域が消えるかを調べることによって、色視野の非正常知覚（欠損、歪み）領域の大きさが定量的に検査できる。
【００１４】
また前記第１表示部と第２表示部とは、シート上に印刷によって前記視標と前記背景とを表示するとしてもよい。この発明によれば、有彩色の視標が印刷されたシートを用いて簡易に色視野の検査が行える。
【００１５】
また前記第１表示部と第２表示部とは、電力が供給されることによる発光を用いて前記視標と前記背景とを表示するとしてもよい。この発明によれば、例えばコンピュータの表示部などに有彩色の視標を表示することにより簡易に色視野の検査が行える。
【００１６】
また本発明に係る検査方法は、有彩色の視野を検査する被検者が眼で知覚するための、有彩色により表示された視標と、前記視標以外の領域において前記有彩色と異なる色により表示された背景と、を被検者に呈示する呈示ステップと、その呈示ステップにより呈示された視標のうちで眼で正常に知覚できない領域を被検者が応答する応答ステップと、を備え、前記呈示ステップにおいて、表示された背景の輝度値は視標の輝度値の１０％小さい数値と１０％大きい数値の間に属する数値であることを特徴とする。この発明によれば、有彩色の視標によって被検者の色視野が検査できるとともに、視標と背景との輝度値が同様な数値に合わせられているので、輝度の違いの知覚ではなく色の違いの知覚が適切に検査できる。
【００１７】
また本発明に係るプログラムは、有彩色の色視野を検査する被検者が眼で知覚するための、有彩色による色視野検査用の視標と、前記視標以外の領域における前記有彩色と異なる色による背景とを、前記視標を所定距離離れた被検者にとっての所定の視角領域に、被検者が同時に眼で知覚する視標は単一の有彩色で表示する表示ステップと、前記表示ステップによって表示された有彩色を別の有彩色に変更する変更ステップと、をコンピュータに実行させ、前記表示ステップにおいて、背景の輝度値は視標の輝度値の１０％小さい数値と１０％大きい数値の間に属する数値であることを特徴とする。この発明によれば、有彩色の視標によって被検者の色視野が検査できるとともに、視標と背景との輝度値が同様な数値に合わせられているので、輝度の違いの知覚ではなく色の違いの知覚が適切に検査できるプログラムが実現できる。
【図面の簡単な説明】
【００１８】
【図１】本発明の検査手段の実施例１を示す図。
【図２】本発明の検査手段の実施例２を示す図。
【図３】本発明の検査手段の実施例３を示す図。
【図４】図３の部分拡大図。
【図５】本発明の検査手段の実施例４を示す図。
【図６】本発明の検査手段における検査手順の第１の例を示すフローチャート。
【図７】本発明の検査手段における検査手順の第２の例を示すフローチャート。
【図８】本発明の検査手段の実施例５を示す図。
【図９】本発明の検査手段の実施例６を示す図。
【図１０】本発明の検査手段の実施例７を示す図。
【図１１】図１０の部分拡大図。
【図１２】本発明の検査手段の実施例８を示す図。
【図１３】本発明の検査手段の実施例９を示す図。
【図１４】背景輝度に応じた色視力の検査結果の例を示す図。
【発明を実施するための形態】
【００１９】
以下、本発明の実施例を図面を参照しつつ説明する。図１は本発明の検査手段の第１の実施例としての検査チャート１００を示す図である。
【００２０】
検査チャート１００は、シート１からシート１５の１５枚のシートを備える。各シートには、従来のアムスラーチャートと同様なグリッド（格子）が印刷されている。ただし、アムスラーチャートによるグリッドが黒色で印刷されているのに対して、シート１から１５ではグリッドは異なった有彩色で印刷されている（周知のとおり、色の３属性（明度、彩度、色相）のうちで明度だけを有する色が無彩色（例えば黒色、灰色、白色）であり、無彩色でない色が有彩色である）。これにより検査チャート１００を用いれば被検者の色視野が検査できる。
【００２１】
具体的に、シート１のグリッド１ａは赤（Ｒ）で印刷されている。シート２のグリッド２ａは黄赤（ＹＲ）で印刷されている。シート３のグリッド３ａは赤黄（ＲＹ）で印刷されている。シート４のグリッド４ａは黄（Ｙ）で印刷されている。シート５のグリッド５ａは緑黄（ＧＹ）で印刷されている。シート６のグリッド６ａは黄緑（ＹＧ）で印刷されている。シート７のグリッド７ａは緑（Ｇ）で印刷されている。シート８のグリッド８ａは青緑（ＢＧ）で印刷されている。
【００２２】
シート９のグリッド９ａは緑青（ＧＢ）で印刷されている。シート１０のグリッド１０ａは青（Ｂ）で印刷されている。シート１１のグリッド１１ａは紫青（ＰＢ）で印刷されている。シート１２のグリッド１２ａは青紫（ＢＰ）で印刷されている。シート１３のグリッド１３ａは紫（Ｐ）で印刷されている。シート１４のグリッド１４ａは赤紫（ＲＰ）で印刷されている。シート１５のグリッド１５ａは紫赤（ＰＲ）で印刷されている。
【００２３】
以上のグリッドの色、すなわち赤（Ｒ）、黄赤（ＹＲ）、赤黄（ＲＹ）、黄（Ｙ）、緑黄（ＧＹ）、黄緑（ＹＧ）、緑（Ｇ）、青緑（ＢＧ）、緑青（ＧＢ）、青（Ｂ）、紫青（ＰＢ）、青紫（ＢＰ）、紫（Ｐ）、赤紫（ＲＰ）、紫赤（ＰＲ）は，いわゆるＮｅｗ  Ｃｏｌｏｒ  Ｔｅｓｔで用いられる１５色である。
【００２４】
各シート１〜１５において、グリッド１ａ〜１５ａ以外の領域は、背景１ｂ、２ｂ、３ｂ、４ｂ、５ｂ、６ｂ、７ｂ、８ｂ、９ｂ、１０ｂ、１１ｂ、１２ｂ、１３ｂ、１４ｂ、１５ｂである。これらの背景１ｂ〜１５ｂはすべて同じ色（例えば無彩色）としてよい。シート１から１５の材質は、紙やプラスチックなど、シートの材料として従来から用いられている材質を何ら限定せず用いればよい。
【００２５】
グリッド１ａ〜１５ａを構成する各正方形のサイズは何ら限定されないが、例えば被検者の眼がシート１〜１５から３０ｃｍほど離れた状態で、隣り合う横線間、縦線間の視角が１度となるようなサイズとすれば好適である。
【００２６】
検査チャート１００はグリッドが異なった色によって印刷されている。これによりグリッドの各色の色視野が検査できる。被検者が例えばシート１を見たときに右上の領域が知覚できない場合、その被検者の赤色の色視野では右上の領域に異常がある、などというかたちで検査される。このような適切な色視野の検査を可能にするために、検査チャート１００ではグリッド１ａ〜１５ａの輝度と背景１ｂ〜１５ｂの輝度を同じにする。その実験的根拠が図１４に示されている。
【００２７】
図１４には、複数の被検者に対して赤（Ｒ）、黄赤（ＹＲ）、赤黄（ＲＹ）、黄（Ｙ）、緑黄（ＧＹ）、黄緑（ＹＧ）、緑（Ｇ）、青緑（ＢＧ）、緑青（ＧＢ）、青（Ｂ）、紫青（ＰＢ）、青紫（ＢＰ）、紫（Ｐ）、赤紫（ＲＰ）、紫赤（ＰＲ）の各色の色視力の計測を行ったときの計測結果の例が示されている。横軸が各色、縦軸が視力の対数プロット（右縦軸が視力の平均値、左縦軸が視力の標準偏差値）である。
【００２８】
この視力検査は、ランドルト環を横軸に示す各色で彩色し、背景色は白色点Ｄ６５として行った。その際、ランドルト環の色の輝度は１平方メートル当たり３０カンデラとし、背景色の輝度は１平方メートル当たり１００カンデラと３０カンデラの２通りを用いた。背景色の輝度が１平方メートル当たり１００カンデラの場合のプロット、３０カンデラの場合のプロットがそれぞれ図示上側、図示下側に示されている。
【００２９】
図示よりあきらかに背景色の輝度が１平方メートル当たり１００カンデラの場合には各色の視力（色視力）はほぼ同じであるとの結果がでたが、背景色の輝度が１平方メートル当たり３０カンデラの場合には各色の色視力は顕著に異なっている。具体的には、Ｒ（赤）やＧＢ（緑青）など、およびその近傍（色度図上での近傍）の色では色視力が相対的に高いのに対して、ＧＹ（緑黄）やＢＰ（青紫）やその近傍の色では色視力が相対的に低い。背景色の輝度が１平方メートル当たり１００カンデラの場合はランドルト環と背景とで輝度が明確に異なっており、背景色の輝度が１平方メートル当たり３０カンデラの場合はランドルト環と背景とが等輝度である。
【００３０】
したがって両結果を比較すると、ランドルト環の輝度と背景の輝度が明確に異なる場合には、被検者はランドルト環と背景との色の相違を知覚できていなくても輝度の相違を知覚することによってランドルト環の向きを認識しており、これにより各色の色視力がほぼ同じとなっていると考えられる。これに対してランドルト環の輝度と背景の輝度が同じ場合には、被検者がランドルト環と背景と色の相違をどれだけ知覚しているかが検査結果に正確に反映することとなり、これにより各色ごとに色視力が異なっていると考えられる。
【００３１】
この知見、すなわち検査視標と背景の輝度を同じにすることが色視力の検査に有効であるとの知見の適用範囲はあきらかに色視力検査に限定されるべきものでなく、色視野の検査にも有効な知見だと考えられる。そこで図１の色視野の検査チャート１００においてもこの知見を活用し、色視野の高精度な検査のためにグリッド１ａ〜１５ａの輝度と背景１ｂ〜１５ｂとの輝度とを同じにする。
【００３２】
グリッドと背景のペア（例えばグリッド１ａと背景１ｂのペア）において輝度を一致させる際には、例えば先にグリッドの色を決めておき、その次に背景の色（例えば明度）を試行錯誤的に調節して、グリッドと背景の輝度値（Ｘ，Ｙ，Ｚの３刺激値のうちのＹ）が、分光放射輝度計などによる計測で一致する背景色を求めるなどの方法を用いればよい。この場合各シートの背景色は異なることとなる。
【００３３】
検査チャート１００は、従来のアムスラーチャートによる視野の検査を各色ごとに行うように変更して使用すればよい。すなわち、例えばまずシート１を被検者に見せる。その際、被検者はグリッド１ａの中央点を見て、グリッド内の隣り合う縦線、横線が被検者にとって視角１度となるようにする。
【００３４】
この状態で被検者にグリッド１ａにおいて見えない領域あるいは歪んで見える領域があるかないか、そしてあればその領域を具体的に応えてもらう。応答の方法は言葉によるものでもよく、グリッドが印刷された紙を用意しておいてその紙に当該領域を書き込む形式などでもよい。これによりまず被検者のＲ（赤色）の色視野が検査される。以下、同様の検査手順をシート２から１５まで行えばよい。
【００３５】
こうした手順により、検査チャート１００の各色の色視野の検査が行える。本発明者は、上述のとおりグリッドと背景とが同輝度の検査チャート１００と、グリッドと背景とを異なる輝度とした比較用の検査チャートとを用いてある被検者に対して実際に色視野の検査を行ったところ、比較用の検査チャートでは各色の色視野がほぼ同一の結果となったのに対して、検査チャート１００では色ごとに異なる色視野が検出された。このことは本発明の検査チャートの顕著な効果を示すものである。
【００３６】
本発明の検査チャートは図１の１５色には限定されない。図２の実施例２では色数を減らしている。具体的に検査チャート１００’ではＲ、ＧＹ、ＧＢ、ＢＰの４色としている。この４色は図８の例において色視力が顕著に異なった４色である。したがって、この検査チャート１００’を用いて色視野検査を行うことにより、被検者の色視野が顕著に反映した検査結果が得られる。
【００３７】
以上の実施例はアムスラーチャートを色視野検査用に改良したものだが、図３に示された実施例３はＭ−ＣＨＡＲＴＳを色視野検査用に改良したものである。図４は図３の部分拡大図である。
【００３８】
図３の検査チャート２００は、図１の検査チャート１００において、すべてのシート１〜１５を３枚に増やしたものとなっている。具体的には、シート１をシート１、１’、１”に、シート２をシート２、２’、２”に、等としており、シート１、１’、１”に描かれたグリッド１ａ、１ｃ、１ｄはＲ（赤）で描かれている。シート２、２’、２”に描かれたグリッド２ａ、２ｃ、２ｄはＹＲ（黄赤）で描かれている。シート３、３’、３”に描かれたグリッド３ａ、３ｃ、３ｄはＲＹ（赤黄）で描かれている。シート４、４’、４”に描かれたグリッド４ａ、４ｃ、４ｄはＹ（赤）で描かれている。シート５、５’、５”に描かれたグリッド５ａ、５ｃ、５ｄはＧＹ（緑黄）で描かれている。シート６、６’、６”に描かれたグリッド６ａ、６ｃ、６ｄはＹＧ（黄緑）で描かれている。
【００３９】
シート７、７’、７”に描かれたグリッド７ａ、７ｃ、７ｄはＧ（緑）で描かれている。シート８、８’、８”に描かれたグリッド８ａ、８ｃ、８ｄはＢＧ（青緑）で描かれている。シート９、９’、９”に描かれたグリッド９ａ、９ｃ、９ｄはＧＢ（緑青）で描かれている。シート１０、１０’、１０”に描かれたグリッド１０ａ、１０ｃ、１０ｄはＢ（青）で描かれている。シート１１、１１’、１１”に描かれたグリッド１１ａ、１１ｃ、１１ｄはＰＢ（紫青）で描かれている。シート１２、１２’、１２”に描かれたグリッド１２ａ、１２ｃ、１２ｄはＢＰ（青紫）で描かれている。シート１３、１３’、１３”に描かれたグリッド１３ａ、１３ｃ、１３ｄはＰ（紫）で描かれている。シート１４、１４’、１４”に描かれたグリッド１４ａ、１４ｃ、１４ｄはＲＰ（赤紫）で描かれている。シート１５、１５’、１５”に描かれたグリッド１５ａ、１５ｃ、１５ｄはＰＲ（紫赤）で描かれている。
【００４０】
グリッド１ａ〜１５ａは図１と同様の実線によるグリッドである。これに対してシート１’〜１５’、シート１”〜１５”は点線のグリッドである。そして図４に示されているように、点線のグリッド１ｃ〜１５ｃにおける点の間隔ｄ１は、点線のグリッド１ｄ〜１５ｄにおける点の間隔ｄ２よりも小さい。なお図３では各色を３枚のシートにしているが、これは一例に過ぎず、より多くの枚数（たとえば１０枚、１５枚、２０枚など）とし、各シートに実線および徐々に点間隔が広がった点線によるグリッドが描かれた形態にすればよい。
【００４１】
検査チャート２００は色視野の定量的な検査のために使用される。検査チャート２００を用いた色視野検査の例は次のとおりである。検査チャート２００に含まれる特定の色のシートの組において、最初に実線のグリッド、次に点間隔の狭い点線のグリッド、点間隔がより広い点線のグリッド、と順に被検者に呈示していく。シートと被検者の位置関係は上述の実施例と同様にすればよい。
【００４２】
被検者が当該色の色視野に障害を有する場合、最初の実線のグリッドの全領域のうち一部の領域が正常に知覚できない（すなわち、見えない、あるいは歪んで見える）。被検者には正常に知覚できない領域を言葉や紙に描くことなどで説明してもらう。被検者が実線のグリッドの全領域を正常に知覚できる場合はその色の検査は終了とする。被検者が実線のグリッドの一部領域が正常に知覚できなかった場合、次に点線のグリッドを点間隔が狭いものから順に呈示していく。
【００４３】
Ｍ−ＣＨＡＲＴＳの検査原理においては点線における点間隔が広がるにつれて被検者が点線の歪みを知覚しなくなるが、検査チャート２００においても同様に、被検者が正常に知覚できない領域の大きさ（幅）よりも点間隔が広がれば被検者はグリッドに欠けた領域や歪んだ領域があると認識しなくなる。したがって、検査チャート２００において順に点間隔が広がった点線のグリッドを被検者に呈示していくことにより、いずれかのシートで被検者はグリッドの欠けや歪みを認識しなくなり、そのときの点間隔によって被検者における当該色の色視野の非正常知覚領域（の広さ）の程度が定量的に検査できる。以上の検査手順を検査チャート２００が有するすべての色に対して行えばよい。
【００４４】
以上の実施例はシートにグリッドを印刷した形態だが、本発明はこうした形態に限定されない。図５に示された検査装置３００は、図１から図４のシートによる色視野検査をコンピュータとその表示部により行うための装置である。
【００４５】
装置３００は通常のコンピュータと同様の構造を有し、本発明に関係する構成としてＣＰＵ３０１、ＲＡＭ３０２、ＲＯＭ３０３、表示部３０４、入力部３０５を備える。ＣＰＵ３０１は各種演算を実行し、ＲＡＭ３０２はＣＰＵ３０１のための作業領域として機能する揮発性の記憶部である。ＲＯＭ３０３は本発明に関係するプログラムやデータを記憶する不揮発性の記憶部であり、特に色視野検査に関するプログラム３１０、３１１を記憶する。なおＲＯＭ３０３は、ハードディスクなど他の形態の不揮発性記憶部でもよい。
【００４６】
表示部３０４は、例えば液晶ディスプレイのように電力が供給されて発光する部分（例えば液晶のバックライト）を備えた表示部である。表示部３０４により各色のグリッド１ａ〜１５ａや背景１ｂ〜１５ｂを表示する。入力部３０５は被検者からの応答を入力するための部位であり、例えば表示部と重ねて配置されるタッチパネルなどである。
【００４７】
装置３００を用いた色視野検査の具体的な手順の例が図６、図７に示されている。図６の検査手順は図１や図２のシートを用いた検査をコンピュータで置き換えた手順であり、図７の検査手順は図３、図４のシートを用いた検査をコンピュータで置き換えた手順である。図６、図７の検査手順はそれぞれプログラム３１０、３１１に記述されているとし。ＣＰＵ３０１がそれを呼び出して自動的に実行すればよい。なお装置３００はプログラム３１０、３１１の両方あるいは少なくとも一方を記憶すればよい。
【００４８】
図６の検査手順ではまず表示部３０４に対面する位置に被検者（被験者）を配置する。被検者と表示部の表示面との位置関係は図１などでのシートと被検者の位置関係と同様とすればよい。そしてまず手順Ｓ１０でＣＰＵ３０１は変数ｎを１とする。続いてＳ３０でＣＰＵ３０１は表示部３０４に、第ｎシート（図１のシートｎ）を表示する。つまりグリッド１ａ〜１５ａと背景１ｂ〜１５ｂのうちｎ番目のペアを表示部３０４に表示する。
【００４９】
その際、図１などのグリッドや背景が印刷されたシートの場合と同様に、グリッドと背景との輝度値を同じ値にして表示する。この表示を見た被検者は、表示されたグリッドの全領域が正常に知覚できるか（見えるか）、一部の領域が正常に知覚できないかを応答する。一部の領域が正常に見えない場合は、正常に見えない領域の外縁をたとえばタッチパネル３０５上で指でなぞることで装置３００に入力する。
【００５０】
被検者による応答が終わったら、ＣＰＵ３０１はＳ７０で全てのシートの検査（つまり全色の色視野の検査）が終了したかどうかを判断し、全シートの検査がすでに終了した場合（Ｓ７０：ＹＥＳ）は図６の検査手順を終了し、まだ残っているシート（残っている色）がある場合（Ｓ７０：ＮＯ）はＳ８０に進む。Ｓ８０に進んだら変数ｎを１増分してＳ２０に戻って上記手順を繰り返す。以上が図６の処理手順である。
【００５１】
図７の処理手順では、図６の処理手順にＳ２０、Ｓ３０、Ｓ５０、Ｓ６０が付加、あるいは変更されている。付加部分のみ説明する。Ｓ２０でＣＰＵ３０１は変数ｄを０にする。この変数ｄは各色の点線グリッドにおいて点間隔の狭い方から順に１、２、・・と付けた番号である。なお実線のｄはゼロとする。そしてＳ３０でＣＰＵ３０１は、第ｎ色で点間隔がｄ番目に狭いグリッドを表示部３０４に表示する。図３の例では、例えば第２色で変数ｄが１のグリッドはグリッド２ｃである。
【００５２】
Ｓ５０でＣＰＵ３０１は、ｄが最大値のグリッドが終了したか否かを判断する。ｄが最大値のグリッドが既に終了した場合（Ｓ５０：ＹＥＳ）はＳ７０に進み、まだ終了していない場合（Ｓ５０：ＮＯ）はＳ６０に進む。Ｓ６０に進んだらｄを１増分してＳ３０に戻る。以上が図７の検査手順である。こうした図６、図７の手順により、コンピュータに表示する形態により本発明の色視野検査が行える。
【００５３】
以上述べた実施例においてはグリッドと背景との輝度を同じとしたが、本発明者が検討を加えたところ、輝度値が１０％程度ずれていても色視野の検査が好適に行えることとの知見を得ている。したがって本発明の実施形態においては、背景の輝度値はグリッドの輝度値のプラスマイナス１０％の範囲内に設定すればよい。
【００５４】
これまで述べた実施例では色視野検査の視標を格子としたが、本発明はこれに限定されない。図８の例は図１の例で視標を、並んで表示された円に変更した例である。具体的に図８の検査シート４００は、シート４０１からシート４１５の１５枚のシートを備える。各シートには、視標として円が、縦横にマトリクス状に整列して表示（印刷）されている。
【００５５】
シート４０１（、４０２、４０３、４０４、４０５、４０６、４０７、４０８、４０９、４１０、４１１、４１２、４１３、４１４、４１５）に表示された視標（円）４０１ａ（、４０２ａ、４０３ａ、４０４ａ、４０５ａ、４０６ａ、４０７ａ、４０８ａ、４０９ａ、４１０ａ、４１１ａ、４１２ａ、４１３ａ、４１４ａ、４１５ａ）は、赤（Ｒ）（、黄赤（ＹＲ）、赤黄（ＲＹ）、黄（Ｙ）、緑黄（ＧＹ）、黄緑（ＹＧ）、緑（Ｇ）、青緑（ＢＧ）、緑青（ＧＢ）、青（Ｂ）、紫青（ＰＢ）、青紫（ＢＰ）、紫（Ｐ）、赤紫（ＲＰ）、紫赤（ＰＲ））で表示（印刷）されている。
【００５６】
各シート４０１〜４１５において、グリッド４０１ａ〜４１５ａ以外の領域は、背景４０１ｂ、４０２ｂ、４０３ｂ、４０４ｂ、４０５ｂ、４０６ｂ、４０７ｂ、４０８ｂ、４０９ｂ、４１０ｂ、４１１ｂ、４１２ｂ、４１３ｂ、４１４ｂ、４１５ｂである。これらの背景は図１の場合と同様に無彩色とすればよい。背景と視標の輝度は上記例と同様に同輝度（あるいは背景の輝度値をグリッドの輝度値のプラスマイナス１０％の範囲内）とすればよい。
【００５７】
視標（円）４０１ａ〜４１５ａの配置のサイズは何ら限定されないが、例えば被検者の眼がシート１〜１５から３０ｃｍほど離れた状態で、縦あるいは横に隣り合う円の間の視角が１度となるようにすれば好適である。シート４０１から４１５の材質は、上記例と同様とすればよい。
【００５８】
検査シート４００の使用方法は図１の例と同様であり、被検者が例えばシート４０１から順に１枚ずつ見て、シート上の円が見えない領域、あるいは円が歪んで見える（円自体が歪んで見える、円の配列が歪んで見える）領域を応答することによって、１５色の色視野が検査できる。なお、図１の例を図２のように色を少なくしたように、図８の例も図９のように色を少なくしてよい。
【００５９】
次に図１０、図１１は、図３の例で視標を格子から円に変更した例である。図３の例では点線における点の間隔を変えたのに対して、図１０、図１１の例では視標（円）の間隔を変えている。すなわち、検査シート５００では、シート４０１（、４０２、４０３、４０４、４０５、４０６、４０７、４０８、４０９、４１０、４１１、４１２、４１３、４１４、４１５）には、視標（円）４０１ａ（、４０２ａ、４０３ａ、４０４ａ、４０５ａ、４０６ａ、４０７ａ、４０８ａ、４０９ａ、４１０ａ、４１１ａ、４１２ａ、４１３ａ、４１４ａ、４１５ａ）が、縦２０、横２０のマトリクス状に表示されている。
【００６０】
そしてシート４０１’ （、４０２’、４０３’、４０４’、４０５’、４０６’、４０７’、４０８’、４０９’、４１０’、４１１’、４１２’、４１３’、４１４’、４１５’）には、視標（円）４０１ａ（、４０２ａ、４０３ａ、４０４ａ、４０５ａ、４０６ａ、４０７ａ、４０８ａ、４０９ａ、４１０ａ、４１１ａ、４１２ａ、４１３ａ、４１４ａ、４１５ａ）が、縦１６、横１６のマトリクス状に表示されている。
【００６１】
シート４０１” （、４０２”、４０３”、４０４”、４０５”、４０６”、４０７”、４０８”、４０９”、４１０”、４１１”、４１２”、４１３”、４１４”、４１５”）には、視標（円）４０１ａ（、４０２ａ、４０３ａ、４０４ａ、４０５ａ、４０６ａ、４０７ａ、４０８ａ、４０９ａ、４１０ａ、４１１ａ、４１２ａ、４１３ａ、４１４ａ、４１５ａ）が、縦１２、横１２のマトリクス状に表示されている。したがって図１１において、視標の間隔はｄ３、ｄ４、ｄ５の順に狭くなっている。
【００６２】
検査チャート５００の使用方法は上述の検査チャート２００などと同様にすればよい。すなわち、検査チャート５００の各色のシート組において、円の間隔が狭いシートから順に被検者に呈示していくことにより、いずれかのシートで被検者は、円の配列における欠損、あるいは歪み（円自体の歪み、円の配列の歪み）の領域を認識しなくなる。そのときの円の間隔によって被検者における当該色の色視野の欠損あるいは歪みの程度が定量的に検査できる。以上の検査手順を検査チャート５００が有するすべての色に対して行えばよい。なお、図１０の例では各色のシートを３枚ずつとしたが、図３と同様に図１０の例でも各色のシート枚数は任意である。
【００６３】
以上の例では視標を円としたが、これは一例に過ぎず、本発明において視標の形態に何ら限定はない。例えば多角形（四角形）、楕円などでもよく、図柄、絵柄（動物、植物、食べ物など）などでもよい。図１２、図１３にはこうした例として図柄５０１ａ（５０２ａ〜５１５ａ）、６０１ａ（６０２ａ〜６１５ａ）、６０１ｂ（６０２ｂ〜６１５ｂ）、６０１ｃ（６０２ｃ〜６１５ｃ）の例が示されている。
【００６４】
図１３の様に１枚のシートの中に複数の図柄、絵柄を混在させてもよい。その際、シート上の異なる領域ごとに異なる図柄、絵柄を表示してもよい。また同一のシート上に異なる大きさの視標を表示してもよい。図１２、図１３のような図柄、絵柄などは被検者が子供の場合に特に好適となる。以上のような視標を用いた場合にも、上述のように図５から図７のようにコンピュータを用いて表示する検査形態を採用してよい。
【００６５】
上記実施例は特許請求の範囲に記載された趣旨の範囲内で修正、変形してよい。例えば図１では１５色、図２では４色などとしたが、本発明では色の数は何ら限定されない。また背景を無彩色と限定せず有彩色を用いてもよい。上記で点線は破線などの不連続な線でもよい。
【符号の説明】
【００６６】
１ａ〜１５ａ、１ｃ〜１５ｃ、１ｄ〜１５ｄ    グリッド（格子、視標）
４０１ａ〜４１５ａ、５０１ａ〜５１５ａ、６０１ａ〜６１５ａ、６０１ｂ〜６１５ｂ、６０１ｃ〜６１５ｃ  視標
１ｂ〜１５ｂ、４０１ｂ〜４１５ｂ    背景
１００、２００    検査チャート（検査手段）
３００    検査装置（検査手段）
３１０、３１１    プログラム
【要約】
【課題】色視野の検査が行える検査手段、検査方法およびプログラムを提供する。
【解決手段】シート１〜１５にはそれぞれ異なる有彩色によるグリッド１ａ〜１５ａが表示されている。各グリッドの背景１ｂ〜１５ｂはグリッド１ａ〜１５ａと同じ輝度とされている。このシートを被検者に呈示して被検者が見えない領域を応答することにより、各色の色視野が検査できる。
【選択図】図１【図１】
0005436712.tif 000002
【図２】
0005436712.tif 000003
【図３】
0005436712.tif 000004
【図４】
0005436712.tif 000005
【図５】
0005436712.tif 000006
【図６】
0005436712.tif 000007
【図７】
0005436712.tif 000008
【図８】
0005436712.tif 000009
【図９】
0005436712.tif 000010
【図１０】
0005436712.tif 000011
【図１１】
0005436712.tif 000012
【図１２】
0005436712.tif 000013
【図１３】
0005436712.tif 000014
【図１４】
0005436712.tif 000015